(57)【要約】【課題】撮像装置などで用いられるバリア装置において、レンズ鏡筒を小型化するとともに、バリアカバーとバリア保持部材との接着強度を十分に確保する。【解決手段】第１および第２のバリア羽根３および４を駆動するバリア駆動部材２はバリア保持部材１に保持され、バリア保持部材には光軸方向被写体側に光入射開口が形成されたバリアカバー７を接着保持するための接着面が形成されている。バリア保持部材には接着面の裏側において侵入孔が形成され、第１のバリア羽根には第２のバリア羽根の移動範囲を規制する規制部が形成され、規制部の一部である侵入部が第１のバリア羽根の開き動作に伴って侵入孔に侵入する。【選択図】図９
2014059343.tif 000002
【特許請求の範囲】
【請求項１】
撮像レンズの光軸方向被写体側に配置され、前記撮像レンズに光を入射するための光入射開口が形成されたバリアカバーと、前記光入射開口を開放する開位置において重畳され、該光入射開口を塞ぐ閉位置において展開されて前記撮像レンズを保護する第１のバリア羽根および第２のバリア羽根とを備えるバリア装置であって、
前記第１のバリア羽根および前記第２のバリア羽根を前記閉位置と前記開位置との間で駆動するバリア駆動部材と、
前記バリア駆動部材を保持するとともに、前記光軸方向被写体側に前記バリアカバーを接着保持するための接着面が形成されたバリア保持部材とを有し、
前記バリア保持部材には前記接着面の裏側において侵入孔が形成されており、
前記第１のバリア羽根には前記第２のバリア羽根の移動範囲を規制する規制部が形成され、前記規制部の一部である侵入部が前記第１のバリア羽根の開き動作に伴って前記侵入孔に侵入することを特徴とするバリア装置。
【請求項２】
前記第１のバリア羽根は前記光入射開口を遮蔽するための遮蔽部を有し、
前記バリア駆動部材には前記第１のバリア羽根との摺動面である第１の面が形成されるとともに、前記規制部の作動範囲を包含する第２の面が形成され、前記第１の面は前記第２の面よりも前記光軸方向被写体側に位置しており、
前記第１のバリア羽根の遮蔽部は前記侵入部よりも前記光軸方向被写体側に形成されていることを特徴とする請求項１に記載のバリア装置。
【請求項３】
前記侵入部と前記第２の面と光軸方向に隙間をもって位置づけられていることを特徴とする請求項１又は２に記載のバリア装置。
【請求項４】
前記バリア保持部材には、前記バリア駆動部材の光軸方向における位置を規制する位置規制孔が形成されており、
前記侵入孔と前記位置規制孔とは互いに位相をずらして形成されていることを特徴とする請求項１〜３のいずれか１項に記載のバリア装置。
【請求項５】
前記侵入部の少なくとも先端部には先端側に向かって傾斜する傾斜面が形成されていることを特徴とする請求項１〜４のいずれか１項に記載のバリア装置。
【請求項６】
前記第２の面は前記侵入部の作動範囲を包含することを特徴とする請求項１〜５のいずれか１項に記載のバリア装置。
【請求項７】
前記第２のバリア羽根は前記光入射開口を遮蔽するための遮蔽部を有し、
前記第１のバリア羽根および前記第２のバリア羽根が前記閉位置にある状態で、前記第１のバリア羽根の侵入部は前記第２のバリア羽根の遮蔽部で覆われることを特徴とする請求項１〜６のいずれか１項に記載のバリア装置。
【請求項８】
前記撮像レンズと、
請求項１〜７のいずれか１項に記載のバリア装置と、
前記撮像レンズの後段に配置され、前記撮像レンズによって結像された光学像から画像信号を生成する撮像手段とを有することを特徴とする撮像装置。
【発明の詳細な説明】
【技術分野】
【０００１】
本発明はバリア装置および撮像装置に関し、特に、バリア装置を有するレンズ鏡筒に関する。
【背景技術】
【０００２】
一般に、光学機器における光学レンズの前面を覆って光学レンズを保護するバリア装置が知られている。特に、モータなどによって駆動されるレンズ鏡筒の１つである沈胴鏡筒を備えたカメラなどの撮像装置にバリア装置が広く用いられている。
【０００３】
この種のバリア装置はバリア保持枠、バリアカバー、およびバリア羽根などを有しており、バリアカバーには光入射開口が形成されている。また、バリア羽根は、非撮影時においてバリアカバーの光入射開口を覆い、撮影時にはバリアカバーの光入射開口から退避した位置に収納される。そして、バリアカバーとバリア保持枠とはバリア羽根の駆動範囲外において、光軸に略平行な面で互いに接着保持される。
【０００４】
ところで、カメラの小型化に伴ってレンズ鏡筒の小径化が求められている。ところが、バリア装置において、バリア羽根の収納面積（光軸方向に平行な面の面積）が大きくなると、不可避的にレンズ鏡筒が大径化してしまう。
【０００５】
一方、レンズ鏡筒を小径化するため、重畳および展開可能な複数枚の小サイズのバリア羽根を２組用いて、バリア羽根が展開状態で光入射開口を塞ぎ、バリア羽根が重畳状態で光入射開口外に収納されるようにしたものがある（特許文献１参照）。
【先行技術文献】
【特許文献】
【０００６】
【特許文献１】特開２０１２−４２６８３号公報
【発明の開示】
【発明が解決しようとする課題】
【０００７】
しかしながら、特許文献１に記載の構成では、バリア羽根同士の連結部などにおける駆動範囲が大きいので、バリアカバーとバリア保持枠との十分な接着面積が確保できない。このため、バリアカバーとバリア保持枠との接着強度が低下してしまう恐れがある。
【０００８】
一方、接着強度を確保するために、接着面積を大きくすると、今度はレンズ鏡筒が大径化してしまう恐れがある。
【０００９】
従って、本発明の目的は、レンズ鏡筒を小型化できるととともに、バリアカバーとバリア保持枠（バリア保持部材）との接着強度が十分に確保することのできるバリア装置およびこのバリア装置を用いた撮像装置を提供することにある。
【課題を解決するための手段】
【００１０】
上記の目的を達成するために、本発明によるバリア装置は、撮像レンズの光軸方向被写体側に配置され、前記撮像レンズに光を入射するための光入射開口が形成されたバリアカバーと、前記光入射開口を開放する開位置において重畳され、該光入射開口を塞ぐ閉位置において展開されて前記撮像レンズを保護する第１のバリア羽根および第２のバリア羽根とを備えるバリア装置であって、前記第１のバリア羽根および前記第２のバリア羽根を前記閉位置と前記開位置との間で駆動するバリア駆動部材と、前記バリア駆動部材を保持するとともに、前記光軸方向被写体側に前記バリアカバーを接着保持するための接着面が形成されたバリア保持部材とを有し、前記バリア保持部材には前記接着面の裏側において侵入孔が形成されており、前記第１のバリア羽根には前記第２のバリア羽根の移動範囲を規制する規制部が形成され、前記規制部の一部である侵入部が前記第１のバリア羽根の開き動作に伴って前記侵入孔に侵入することを特徴とする。
【００１１】
本発明による撮像装置は、上記の撮像レンズと、上記のバリア装置と、前記撮像レンズの後段に配置され、前記撮像レンズによって結像された光学像から画像信号を生成する撮像手段とを有することを特徴とする。
【発明の効果】
【００１２】
本発明によれば、レンズ鏡筒を小型化できるととともに、バリアカバーとバリア保持部材との接着強度を高くすることができる。
【図面の簡単な説明】
【００１３】
【図１】本発明の実施の形態によるバリア装置を備えるレンズ鏡筒を有する撮像装置の一例についてその外観を示す斜視図である。
【図２】図１に示すレンズ鏡筒に備えられたバリア機構（バリア装置）および１群レンズ鏡筒の周辺を分解して示す斜視図である。
【図３】図２に示すバリア駆動リングを光軸方向被写体側（前側）からみた斜視図である。
【図４】図１に示すバリア保持枠を説明するための斜視図である。
【図５】図２に示す第１のバリア羽根の開閉機構を光軸方向被写体側からみた図であり、（ａ）は第１のバリア羽根がバリアカバーの光入射開口を塞ぐ閉鎖位置にある状態を示す図、（ｂ）は第１のバリア羽根が光入射開口を開放する開放位置にある状態を示す図である。
【図６】図２に示す第１〜第３のバリア羽根を像面側からみた図であり、（ａ）は第１〜第３のバリア羽根がバリアカバーの光入射開口を塞ぐ閉鎖位置にある状態を示す図、（ｂ）は第１〜第３のバリア羽根が光入射開口を開放する開放位置にある状態を示す図である。
【図７】図２に示す第１のバリア羽根および第２のバリア羽根を示す斜視図であり、（ａ）は第１のバリア羽根および第２のバリア羽根がバリアカバーの光入射開口を塞ぐ閉鎖位置にある状態を示す斜視図、（ｂ）は第１のバリア羽根および第２のバリア羽根が光入射開口を開放する開放位置にある状態を示す斜視図である。
【図８】図２に示す第１〜第３のバリア羽根およびバリアカバーを閉鎖位置において光軸方向被写体側からみた図である。
【図９】図２に示すバリア機構を示す斜視図である。
【図１０】図２に示す第１のバリア羽根、バリア駆動リング、および付勢部材を示す斜視図である。
【発明を実施するための形態】
【００１４】
以下、本発明の実施の形態によるバリア装置の一例について図面を参照して説明する。
【００１５】
図１は、本発明の実施の形態によるバリア装置を備えるレンズ鏡筒を有する撮像装置の一例についてその外観を示す斜視図である。
【００１６】
図示の撮像装置は、例えば、デジタルカメラ（以下単にカメラと呼ぶ）１００であり、ここでは、カメラ１００は撮影可能な状態である電源オン状態で示されている。カメラ１００はカメラ本体１０１を有し、カメラ本体１０１には沈胴式のレンズ鏡筒１１０が設けられている。そして、電源オン状態では、レンズ鏡筒１１０は繰り出し状態（撮影可能状態）となる。一方、電源オフ状態又は画像を再生する再生モードに設定すると、レンズ鏡筒１１０は沈胴状態（撮影不可能状態）となる。
【００１７】
レンズ鏡筒１１０は撮影光学系であるレンズ群（撮像レンズ）を有しており、これらレンズ群が光軸方向に移動して、レンズ鏡筒１１０は撮影可能な状態である繰り出し状態と撮影不可能な状態である沈胴状態とに変位する。カメラ本体１０１には、メインスイッチ１０２、撮影スイッチ１０３（レリーズスイッチ）、ズームレバー１０７が備えられている。
【００１８】
メインスイッチ１０２は、電源のオンおよびオフを切り替えるためのスイッチである。撮影スイッチ１０３が半押し操作（ＳＷ１押下）されると、カメラ１００は測光およびオートフォーカス（ＡＦ）などの撮影準備動作を行う。そして、撮影スイッチ１０３の全押し操作（ＳＷ２押下）によってカメラ１００は画像の撮影動作（所謂本露光）および画像の記録動作を行う。
【００１９】
カメラ本体１０１の前面に備えられたフラッシュ部１０４は、周囲の明るさ（又は暗さ）に応じて発光する。また、カメラ本体１０１の前面に備えられた測距部１０５は、例えば、赤外光を照射して、その反射に応じてカメラ１００と被写体との距離を計測する際に用いられる。
【００２０】
なお、図１には示されていないが、カメラ本体１０１において、レンズ鏡筒１１０の撮影光学系（つまり、撮像レンズ）の後段にＣＣＤ又はＣＭＯＳセンサなどの撮像素子（撮像手段）が配置されている。そして、撮像素子は撮像レンズによって結像した被写体像（光学像）を光電変換して画像信号を生成する。
【００２１】
図２は、図１に示すレンズ鏡筒１１０に備えられたバリア機構（バリア装置）および１群レンズ鏡筒の周辺を分解して示す斜視図である。
【００２２】
図２において、光軸方向被写体側を前側、そして、光軸方向撮像素子側を後側あるいは像面側という。レンズ鏡筒１１０は、バリア機構を備えるとともに、第１レンズ保持枠８（レンズ保持部材）、１群レンズである第１レンズ９、およびカム筒１０を備えている。
【００２３】
バリア機構は、バリア保持枠１（バリア保持部材）、バリア駆動リング２（バリア駆動部材）、バリア羽根３〜５、付勢部材６、バリアカバー７、および接着部材１３を有している。バリア保持枠１は、レンズ鏡筒１１０の前端部（光軸方向被写体側）に配置される。バリア保持枠１の内周部には第１レンズ９を保持する第１レンズ保持枠８が設けられ、第１レンズ保持枠８の内周部にはカム筒１０が配置される。
【００２４】
ここで、第１レンズ保持枠８およびバリア保持枠１の繰り出し機構について説明する。
【００２５】
第１レンズ保持枠８にはフォロアピン１１が圧入され、このフォロアピン１１がカム筒１０のカム溝１０ａに係合する。また、バリア保持枠１にはフォロアピン１２が圧入され、このフォロアピン１２がカム筒１０のカム溝１０ｂに係合する。
【００２６】
駆動手段であるズームモータ（図示せず）によって、カム筒１０が回転駆動されると、フォロアピン１１および１２がそれぞれカム溝１０ａおよび１０ｂをトレースして、第１レンズ保持枠８およびバリア保持枠１がカム筒１０に対して相対的に移動する。これによって、レンズ鏡筒１１０の繰り出しおよび沈胴動作が行われる。
【００２７】
第１のバリア羽根３は樹脂で成形されており、第２のバリア羽根４および第３のバリア羽根５はそれぞれ金属で形成されている。第２のバリア羽根４および第３のバリア羽根５を金属部品とすることによって、樹脂部品で形成するよりもバリア装置およびレンズ鏡筒１１０を薄型化することができる。
【００２８】
また、第１のバリア羽根３、第２のバリア羽根４、第３のバリア羽根５、そして、ばねなどの付勢部材６は、それぞれ１群レンズである第１レンズ９の光軸を中心として点対称に一対が配置される。そして、第１〜３のバリア羽根３〜５は光軸と交差する方向に開閉し、レンズ鏡筒１１０の沈胴状態で閉状態となり、レンズ鏡筒１１０の繰り出し状態で開状態となる。
【００２９】
なお、第１のバリア羽根３、第２のバリア羽根４、および第３のバリア羽根５は、バリアカバー７の光入射開口７ａを塞ぐ閉位置において展開されて撮像レンズを保護し、光入射開口７ａを開放する開位置において光軸方向で重畳される。
【００３０】
バリアカバー７は、レンズ鏡筒１１０の最も前側（光軸方向被写体側）に配置されており、両面テープなどの接着部材１３によってバリア保持枠１に接着保持され、第１〜第３のバリア羽根３〜５を保護している。また、バリアカバー７には、１群レンズである第１レンズ９を介して撮像素子（図示せず）に入射する光束を遮らないように開口する光入射開口７ａが形成されている。
【００３１】
図３は、図２に示すバリア駆動リング２を光軸方向被写体側（前側）からみた斜視図である。
【００３２】
バリア駆動部材であるバリア駆動リング２は、バリア保持部材であるバリア保持枠１に回転可能に保持される。バリア駆動リング２には、光軸方向の像面側に延出し、斜面形状（テーパ形状）にカットされたフォロアアーム２ａ（駆動部）が設けられている。
【００３３】
レンズ鏡筒１１０の沈胴時において、フォロアアーム２ａはカム筒１０に設けられた回動当接部としての作動壁１０ｃ（図２参照）と接触する。そして、カム筒１０が回動すると、作動壁１０ｃと当接しているフォロアアーム２ａが回転して、バリア駆動リング２全体が回転する。さらに、バリア駆動リング２には、光軸方向の像面側に延出する延出部２ｂが複数設けられている。また、バリア駆動リング２の外周部には、バネなどの付勢部材６を掛けるための軸２ｃおよび２ｄと、第１のバリア羽根３を駆動するための当接部２ｅおよび２ｆが設けられている。
【００３４】
さらに、バリア駆動リング２の外周部にはバリア駆動リング２の光軸方向の位置を規制する位置規制部２ｇが複数の箇所に設けられている。そして、バリア駆動リング２には、第１のバリア羽根３の摺動面３ｋ（図６参照）と当接する摺動面２ｈ（第１の面）と非摺動面２ｊ（第２の面）とがそれぞれ二面規定されている。なお、図３に示すように、非摺動面２ｊは摺動面２ｈに対して像面側に形成される。
【００３５】
図４は、図１に示すバリア保持枠１を説明するための斜視図である。
【００３６】
バリア保持枠１には、バリア駆動リング２に設けられたフォロアアーム２ａが貫通する円弧孔１ａとバリア駆動リング２の摺動をガイドする延出部１ｂが設けられている。バリア駆動リング２に形成された延出部２ｂの外周部がバリア保持枠１の開口内周面に設けられた延出部１ｂに沿って摺動することによって、バリア駆動リング２が滑らかに回動することができる。
【００３７】
また、バリア保持枠１には、第１のバリア羽根３の回動軸が挿通される穴１ｃおよび１ｄが設けられるとともに、第３のバリア羽根５の回動穴に挿通する軸１ｅおよび１ｆが設けられている。さらに、バリア保持枠１の外周には接着部材１３を接着する接着面１ｊが４箇所形成されている。
【００３８】
加えて、バリア保持枠１には、バリア駆動リング２の光軸方向の位置を規制するための位置規制孔１ｋと後述する第１バリア羽根３の侵入部が侵入する侵入孔１ｍが複数箇所に形成されている。この侵入孔１ｍはバリア保持枠１において接着面１ｊの裏側に形成されている。
【００３９】
バリア駆動リング２は、外周部に形成された位置規制部２ｇがバリア保持枠１に形成された位置規制孔１ｋの内部を回転するによって、バリア駆動リング２の光軸方向の位置が規制される。
【００４０】
なお、バリア保持枠１の位置規制孔１ｋおよび侵入孔１ｍは異なる位相でスライド構造により形成される。
【００４１】
図５は、図２に示す第１のバリア羽根３の開閉機構を光軸方向被写体側からみた図である。そして、図５（ａ）は第１のバリア羽根３がバリアカバー７の光入射開口７ａを塞ぐ閉鎖位置にある状態を示す図であり、図５（ｂ）は第１のバリア羽根３が光入射開口７ａを開放する開放位置にある状態を示す図である。
【００４２】
なお、図５においては、説明の便宜上、第２のバリア羽根４および第３のバリア羽根５は除かれている。
【００４３】
第１のバリア羽根３には、光軸方向撮像素子側に突出する軸３ａ（図６参照）と、光軸方向被写体側に突出する軸３ｂとが設けられている。軸３ａは、バリア保持枠１に形成された穴１ｃおよび１ｄに挿入されて軸支される。これによって、第１のバリア羽根３は各軸３ａを中心として、開閉方向に回転自在に移動する。
【００４４】
また、第１のバリア羽根３には、軸３ａの近傍において突起部３ｃが設けられており、突起部３ｃに連接してバネ掛け部３ｄが設けられている。付勢部材６はバネ掛け部３ｄとバリア駆動リング２の軸２ｃおよび２ｄとに常時引っ張り状態で架け渡されている。バネ掛け部３ｄの位置は、軸３ｂよりも光軸中心に近いため、付勢部材６の付勢力によって、バリア駆動リング２は、図中時計回りの方向に付勢される。
【００４５】
さらに、第１のバリア羽根３には、第２のバリア羽根４の移動範囲を規制する規制部３ｅが形成されている。規制部３ｅは、第１のバリア羽根３が開閉する回転方向に長く形成される。規制部３ｅの内壁のうち、閉鎖方向の壁部が第１の壁部３ｅ１、開放方向の壁部が第２の壁部３ｅ２となる。また、第１のバリア羽根３は淵部３ｅ３（図７参照）を有するが、その作用については後述する。
【００４６】
ここで、第１のバリア羽根３の閉位置から開位置への移行動作について説明する。
【００４７】
第１のバリア羽根３が閉位置にあるとき（図５（ａ）参照）、バリア駆動リング２のフォロアアーム２ａとカム筒１０の作動壁１０ｃとは当接状態にある。カム筒１０が回転することによって、バリア駆動リング２は時計回りの回転を行って、当接部２ｅおよび２ｆが第１のバリア羽根３の突起部３ｃを駆動する。
【００４８】
第１のバリア羽根３は、バリア駆動リング２の更なる回転に伴って、軸３ａを中心として図中反時計回りに回転駆動される。そして、各当接部３ｆがバリア保持枠に設けられたストッパ１ｇおよび１ｈに当接することによって、その回転が停止される（図５（ｂ）参照）。
【００４９】
一方、第１のバリア羽根３が開位置から閉位置に移行する際には、カム筒１０が閉位置から開位置への移行動作の場合と逆方向に回転することによって、バリア駆動リング２が反時計回りに回動される。これによって、バリア駆動リング２の当接部２ｅおよび２ｆが第１のバリア羽根３の突起部３ｃから離れようとするが、付勢部材６の付勢力によって、突起部３ｃが当接部２ｅおよび２ｆに当接する方向に回動する。つまり、第１のバリア羽根３は軸３ａを中心として図中時計回りに回転駆動されることになる。
【００５０】
第１のバリア羽根３の更なる回動によって、第１のバリア羽根３の各合わせ面３ｇ同士が当接して、第１のバリア羽根３の回転が停止する。なお、第１〜第３のバリア羽根３〜５の開動作の際における付勢部材６の付勢力を大きくするため、バリア駆動リング２が更に図中反時計回りに回転駆動された位置で、その回転が停止される（図５（ａ）参照）。
【００５１】
図６は、図２に示す第１〜第３のバリア羽根３〜５を像面側からみた図である。そして、図６（ａ）は第１〜第３のバリア羽根３〜５がバリアカバー７の光入射開口７ａを塞ぐ閉鎖位置にある状態を示す図であり、図６（ｂ）は第１〜第３のバリア羽根３〜５が光入射開口７ａを開放する開放位置にある状態を示す図である。
【００５２】
また、図７は、図２に示す第１のバリア羽根３および第２のバリア羽根４を示す斜視図である。そして、図７（ａ）は第１のバリア羽根３および第２のバリア羽根４がバリアカバー７の光入射開口７ａを塞ぐ閉鎖位置にある状態を示す斜視図であり、図７（ｂ）は第１のバリア羽根３および第２のバリア羽根４が光入射開口７ａを開放する開放位置にある状態を示す斜視図である。
【００５３】
図６および図７を参照して、第１〜第３のバリア羽根３〜５の開閉機構について説明する。
【００５４】
第２のバリア羽根４に形成された穴部（図示せず）に第１のバリア羽根３の各軸３ｂ（図５参照）が挿通される。これによって、第２のバリア羽根４は各軸３ｂを中心として、開閉方向に回転自在に移動する。また、第２のバリア羽根４はフック型に構成されるフック部４ａを有している。
【００５５】
図７に示すように、フック部４ａは当接部４ａ１と外れ規制部４ａ２と備えている。第１のバリア羽根３が回転移動すると、第２のバリア羽根４の当接部４ａ１が、第１のバリア羽根３の第１の壁部３ｅ１および第２の壁部３ｅ２によって当接駆動される。これによって、第２のバリア羽根４が第１のバリア羽根３に対して、開閉方向に従動可能となる。
【００５６】
また、衝撃又は外力などによって、第１のバリア羽根３と第２のバリア羽根４との係合が外れないように、第２のバリア羽根４の外れ規制部４ａ２と第１のバリア羽根３の淵部３ｅ３とがバリア羽根による開閉全領域において係合関係を保っている。さらに、第２のバリア羽根４には、第３のバリア羽根５を開閉方向に従動可能とさせるための切欠き部４ｂおよび当接部４ｃが形成されている。
【００５７】
第３のバリア羽根５の穴５ａに、バリア保持枠１の軸１ｅおよび１ｆが挿通される。これによって、第３のバリア羽根５が、軸１ｅおよび１ｆを中心として、開閉方向に回転自在に移動する。
【００５８】
一方、第３のバリア羽根５の穴５ａから離れた部位には、フック部５ｃが形成されている。フック部５ｃは、光入射開口７ａを遮蔽する平面部から光軸方向撮像素子側に９０度折り曲げ、さらに内側に９０度折り曲げてなる概略コの字形状に成形されている。
【００５９】
第２のバリア羽根４の当接部４ｃおよび切欠き部４ｂがそれぞれ第３のバリア羽根５の折り曲げ部５ｂおよびフック部５ｃを当接駆動することによって、第３のバリア羽根５が第２のバリア羽根４に対して開閉方向に従動可能となる。
【００６０】
次に、第１〜第３のバリア羽根３〜５の閉位置から開位置への移行動作について説明する。
【００６１】
第１のバリア羽根３は、図６（ａ）および図７（ａ）に示す閉状態から、図６（ａ）において時計回りの回転を始める。その回転初期においては、第２のバリア羽根４および第３のバリア羽根５はその位置を保っている。しばらくすると、第１のバリア羽根３における規制部３ｅの第１の壁部３ｅ１が、第２のバリア羽根４の当接部４ａ１と当接する。
【００６２】
この時点からさらに第１のバリア羽根３が開放方向に回転すると、第１の壁部３ｅ１が当接部４ａ１を駆動することによって、第２のバリア羽根４も一緒に開放方向に回転する。
【００６３】
第１のバリア羽根３および第２のバリア羽根４がさらに開放方向に回転を続けると、やがて第２のバリア羽根４の当接部４ｃが第３のバリア羽根５の折り曲げ部５ｂと当接する。この時点からさらに第１のバリア羽根３および第２のバリア羽根４が開放方向に回転すると、当接部４ｃが折り曲げ部５ｂを駆動することによって、第３のバリア羽根５も一緒に開放方向に回転する。
【００６４】
第１〜第３のバリア羽根３〜５の全てが開放方向に回転移動して、第１のバリア羽根３の当接部３ｆがバリア保持枠のストッパ１ｇおよび１ｈに当接して回転を停止すると、従動する第２のバリア羽根４および第３のバリア羽根５もその回転を停止する。これによって、第１〜第３のバリア羽根３〜５は図６（ｂ）に示す開放状態となる。
【００６５】
一方、第１〜第３のバリア羽根３〜５が開位置から閉位置に移行する際には、第１のバリア羽根３は、図６（ｂ）および図７（ｂ）に示す開状態から、図６（ｂ）において反時計回りの回転を始める。その回転初期では、第２のバリア羽根４および第３のバリア羽根５はその位置を保っている。しばらくすると、第１のバリア羽根３における規制部３ｅの第２の壁部３ｅ２が、第２のバリア羽根４の当接部４ａ１と当接する。
【００６６】
この時点からさらに第１のバリア羽根３が閉鎖方向に回転すると、第２の壁部３ｅ２が当接部４ａ１を駆動することによって、第２のバリア羽根４も一緒に閉鎖方向に回転する。
【００６７】
第１のバリア羽根３および第２のバリア羽根４がさらに閉鎖方向に回転を続けると、やがて第２のバリア羽根４の切欠き部４ｂが第３のバリア羽根５のフック部５ｃと当接する。この時点からさらに第１のバリア羽根３および第２のバリア羽根４が閉鎖方向に回転すると、切欠き部４ｂがフック部５ｃを駆動することによって、第３のバリア羽根５も一緒に閉鎖方向に回転する。
【００６８】
第１〜第３のバリア羽根３〜５の全てが閉鎖方向に回転移動して、第１のバリア羽根３の各合わせ面３ｇ同士が当接することによって、その回転が停止すると、従動する第２のバリア羽根４および第３のバリア羽根５もその回転を停止する。
【００６９】
なお、前述したように、バリア駆動リング２の回転はバリア羽根３の回転停止位置から更に回転した位置で停止する。以上のようにして、第１〜第３のバリア羽根３〜５は図６（ａ）に示す閉鎖状態となる。
【００７０】
図８は、図２に示す第１〜第３のバリア羽根３〜５およびバリアカバーを閉鎖位置において光軸方向被写体側からみた図である。また、図９は図２に示すバリア機構を示す斜視図である。そして、図１０は図２に示す第１のバリア羽根３、バリア駆動リング２、および付勢部材６を示す斜視図である。なお、図９および図１０においては第１〜第３のバリア羽根３〜５が開放された状態が示されている。
【００７１】
ここで、図５〜図１０を参照して、第１のバリア羽根３のバリア保持枠１への侵入機構について説明する。
【００７２】
バリア保持枠１の接着面１ｊは第１〜第３のバリア羽根３〜５の作動範囲外に形成される。ところが、図５（ｂ）に示すように、第１〜第３のバリア羽根３〜５が開放位置にある状態では、光軸に平行な面において第１のバリア羽根３の一部とバリア保持枠１の接着面１ｊとが重なり合っている。ここで、第１のバリア羽根３がバリア保持枠１と重なっている部分を侵入部３ｊとする（図５（ａ）参照）。
【００７３】
図９および図１０に示すように、第１のバリア羽根３の侵入部３ｊの前面は、光入射開口７ａを遮蔽する遮蔽部３ｈに比べて像面側に形成される。また、第１のバリア羽根３の侵入部３ｊの背面は、バリア駆動リング２との摺動面３ｋに比べて像面側に形成される。
【００７４】
このように、第１のバリア羽根３の侵入部３ｊは遮蔽部３ｈから一段下がった位置に形成される。なお、第１のバリア羽根３の侵入部３ｊは閉鎖位置（閉位置）において、第２のバリア羽根４の遮蔽部４ｄに覆われるため、図８に示すように、外観面には露出しない。このため、第１のバリア羽根３の遮蔽部３ｈと侵入部３ｊとに段差が生じていても、侵入部３ｊが外観面に表れることがなく、外観を損ねることはない。
【００７５】
また、前述のように、バリア駆動リング２には第１のバリア羽根３との摺動面である摺動面２ｈと非摺動面２ｊが形成される。ここで、非摺動面２ｊは摺動面２ｈに対して像面側に形成される。
【００７６】
第１のバリア羽根３の開閉動作の際には、侵入部３ｊは図５（ａ）に示す領域Ｓ１上を通過するが、バリア駆動リング２の非摺動面２ｊは通過領域Ｓ１を包含するように形成されている。
【００７７】
一方、第１〜第３のバリア羽根３〜５の閉状態からユーザが故意に第１〜第３のバリア羽根３〜５を手で開方向に動かした場合又は衝撃が加わった場合には、バリア駆動リング２が閉位置を保持した状態で、第１のバリア羽根３が開位置にと移動する。この際、第１のバリア羽根３の侵入部３ｊとバリア駆動リング２の摺動面２ｈとが衝突すると、第１のバリア羽根３又はバリア駆動リング２の変形などが発生する恐れがある。
【００７８】
そこで、本実施の形態では、バリア駆動リング２が閉位置を保持した状態で、第１のバリア羽根３が開位置に移動した場合においても、上記のような衝突が発生しないように、バリア駆動リング２の非摺動面２ｊを侵入部３ｊの通過領域Ｓ２も包含するように形成する。
【００７９】
このように、バリア駆動リング２の非摺動面２ｊは第１のバリア羽根３の侵入部３ｊの通過領域を全て包含するように形成されている。第１のバリア羽根３の安定した開閉のため、侵入部３ｊと非摺動面２ｊとの間に光軸方向の隙間を持たせることによって、摺動面３ｋと摺動面２ｈとの当接関係を確実にしている。
【００８０】
なお、図９および図１０に示すように、バリア駆動リング２は、第１のバリア羽根３の突起部３ｃと当接させるための当接部２ｅ、２ｆを備えているので、光軸方向に所定の厚さが必要となる。同様に、所定の外径を有する付勢部材６を設置する必要があるため、バリア駆動リング２は光軸方向に所定の厚さが必要となる。このため、バリア駆動リング２の光軸方向の厚さを厚くすることなく、非摺動面２ｊを形成することが可能である。
【００８１】
上述の構成において、図９に示すように、侵入部３ｊがバリア保持枠１の侵入孔１ｍに侵入する。バリア保持枠１の侵入孔１ｍに第１のバリア羽根３の侵入部３ｊがスムーズに侵入するように、バリア羽根３の侵入部３ｊの先端部には先端側に向かって傾斜面（テーパー部）が形成されている。
【００８２】
本実施の形態によるバリア機構（バリア装置）では、第２のバリア羽根４および第３のバリア羽根５が金属で形成されているので、第１のバリア羽根３の遮蔽部（遮蔽面）３ｈからバリア保持枠１の接着面１ｊまでの間隔は小さい。一方、上述のように、バリア駆動リング２の非摺動面２ｊおよび第１のバリア羽根３の侵入部３ｊを一段下げることによって、バリア保持枠１の光軸方向の厚さを厚くすることなく、接着面１ｊを形成することができる。
【００８３】
以上のように、本実施の形態によるバリア装置では、バリア羽根同士の連結部の前側においてもバリア保持枠の接着面を形成できるので、鏡筒径が増大することなく、接着面積を増加させることができる。これによって、レンズ鏡筒を小型化できるととともに、バリアカバーとバリア保持枠との接着強度を高くすることができる。
【００８４】
また、本実施の形態によるバリア装置では、以前より採用されていたバリア駆動リングの位置規制孔を形成するためのスライド構造を利用して侵入孔を形成することができるので、バリア保持枠の型構造が複雑化せず、コストアップすることがない。
【００８５】
また、本実施の形態によるバリア装置では、侵入孔と位置規制孔とを位相をずらして形成することによって、バリア駆動リングの光軸方向の位置の安定を損なうことなく、高い精度でバリア駆動リングの回動を行うことができ、この結果、バリア羽根の開閉精度を高く保つことができる。
【００８６】
なお、本実施の形態によるバリア装置では、第１のバリア羽根を樹脂部品として、第２のバリア羽根および第３のバリア羽根を金属部品としたが、必ずしもこの限りではない。例えば、全てのバリア羽根を樹脂部品とするようにしてもよい。
【００８７】
この場合、金属部品よりも光軸方向の厚さが増えるので、第２のバリア羽根および第３のバリア羽根の光軸方向における作動領域だけでバリア保持枠の接着面を形成できる可能性がある。このため、必ずしもバリア駆動リングの被摺動面および第１のバリア羽根の侵入部を摺動面および遮蔽部から一段下げる必要はない。
【００８８】
さらに、本実施の形態によるバリア装置では、３枚のバリア羽根を一組としたが、２枚以上のバリア羽根を一組としたバリア装置についても適用することができる。
【００８９】
以上、本発明の好ましい実施形態について説明したが、本発明はこれらの実施形態に限定されず、その要旨の範囲内で種々の変形及び変更が可能である。
【符号の説明】
【００９０】
１  バリア保持枠
１ｊ  接着面
１ｋ  位置規制孔
１ｍ  侵入孔
２  バリア駆動リング
２ｈ  摺動面
２ｊ  非摺動面
３〜５  バリア羽根
３ｅ  規制部
３ｈ  遮蔽部
３ｊ  侵入部
【図１】
2014059343.tif 000003
【図２】
2014059343.tif 000004
【図３】
2014059343.tif 000005
【図４】
2014059343.tif 000006
【図５】
2014059343.tif 000007
【図６】
2014059343.tif 000008
【図７】
2014059343.tif 000009
【図８】
2014059343.tif 000010
【図９】
2014059343.tif 000011
【図１０】
2014059343.tif 000012